【手続補正書】
【提出日】平成20年7月7日(2008.7.7)
【手続補正１】
【補正対象書類名】明細書
【補正対象項目名】特許請求の範囲
【補正方法】変更
【補正の内容】
【特許請求の範囲】
【請求項１】
液滴を吐出させるためのエネルギを発生する複数の吐出エネルギ発生素子と、
複数の前記吐出エネルギ発生素子が設けられた素子基板と、
液滴を吐出する吐出口と、前記吐出エネルギ発生素子によって気泡が発生する発泡室と、前記発泡室に液体を供給するための供給路とを有する複数のノズルと、前記複数のノズルに液体を供給するための供給室とを有し、前記素子基板の主面に積層されたオリフィス形成部材とを備え、
前記オリフィス形成部材は、前記吐出エネルギ発生素子の前記供給路側近傍に位置して、前記素子基板の主面に対する前記ノズルの高さが、前記ノズル内で最小となる部分を有し、前記ノズルの高さが前記供給室側に向かって変化されている液体吐出ヘッド。
【請求項２】
前記オリフィス形成部材には、前記吐出エネルギ発生素子の前記供給路側近傍に位置して、液体の流動方向に直交する平面上で、前記素子基板の主面に平行な前記ノズルの幅が、前記ノズル内で最小となる部分を有し、前記ノズルの幅が前記オリフィス形成部材の厚み方向に沿って変化されている請求項１に記載の液体吐出ヘッド。
【請求項３】
前記発泡室内には、前記吐出エネルギ発生素子の主面に対向する対向面に、前記吐出口の吐出方向に連続されて開口面積が拡大する部分が設けられている請求項１または２に記載の液体吐出ヘッド。
【請求項４】
前記ノズルは、前記ノズルの高さが最小となる部分が、前記供給路の長手方向の中央に対して下流側に位置されている請求項１ないし３のいずれか１項に記載の液体吐出ヘッド。
【請求項５】
前記ノズルは、前記ノズルの高さが最小となる部分の高さが、前記素子基板の主面に対向する前記発泡室の対向面の高さより小さく形成されている請求項１ないし４のいずれか１項に記載の液体吐出ヘッド。
【請求項６】
前記ノズルは、前記素子基板の主面に対向する各内壁面が、前記供給室から前記発泡室に亘って、前記素子基板の主面に平行にそれぞれ形成されている請求項１ないし５のいずれか１項に記載の液体吐出ヘッド。
【請求項７】
前記ノズルは、前記吐出口から液滴が飛翔される吐出方向と、前記供給路内を流動する液体の流動方向とが直交されて形成されている請求項１ないし６のいずれか１項に記載の液体吐出ヘッド。
【請求項８】
前記オリフィス形成部材には、前記素子基板の主面にそれぞれ対向する前記発泡室および前記制御部の各対向面が、平坦面にそれぞれ形成されている請求項１ないし７のいずれか１項に記載の液体吐出ヘッド。
【請求項９】
前記ノズルは、前記発泡室の体積が、前記供給路の体積より小さく形成されている請求項１ないし８のいずれか１項に記載の液体吐出ヘッド。
【請求項１０】
前記オリフィス形成部材には、複数の前記吐出エネルギ発生素子および複数の前記ノズルを有し各ノズルの長手方向が平行に配列された第１のノズル列と、前記供給室を間に挟んで前記第１のノズル列に対向する位置に配列された第２のノズル列とがそれぞれ設けられて、前記第２のノズル列の前記各ノズルは、前記第１のノズル列の前記各ノズルに対して、隣接する前記各ノズル間のピッチが互いに１／２ピッチずれて配列されている請求項１ないし９のいずれか１項に記載の液体吐出ヘッド。
【請求項１１】
前記第１のノズル列と前記第２のノズル列は、前記吐出口から吐出される液滴の吐出量が互いに異なる請求項１０に記載の液体吐出ヘッド。
【請求項１２】
前記第１のノズル列と前記第２のノズル列は、前記吐出口の開口面積が互いに異なる請求項１１に記載の液体吐出ヘッド。
【請求項１３】
前記第１のノズル列と前記第２のノズル列は、前記素子基板の主面に平行な前記吐出エネルギ発生素子の面積が互いに異なる請求項１０ないし１２のいずれか１項に記載の液体吐出ヘッド。
【請求項１４】
前記第１のノズル列と前記第２のノズル列は、前記吐出エネルギ発生素子と前記吐出口との間の最短距離が等しくそれぞれ形成されている請求項１０ないし１３のいずれか１項に記載の液体吐出ヘッド。
【請求項１５】
前記オリフィス形成部材は、ノズルの断面積が複数の段階で変化されている請求項１ないし１４に記載の液体吐出ヘッド。
【請求項１６】
前記ノズルは、前記発泡室と前記供給路の境界近傍に位置するノズルの断面積が、前記供給室に隣接する前記供給路の端部のノズルの断面積より小さく形成されている請求項１５に記載の液体吐出ヘッド。
【請求項１７】
前記発泡室は、前記供給路内の液体の流動方向に直交する断面積が、前記供給路の断積より大きく形成されている請求項１５または１６に記載の液体吐出ヘッド。
【請求項１８】
前記オリフィス形成部材には、前記ノズルの上流に向かう順に、前記発泡室内の液体の流れを制御するための第１〜第ｎの制御部がそれぞれ設けられて、
前記吐出エネルギ発生素子と前記吐出口との間の最短距離ＯＨ、前記吐出口の開口面積Ｓ0、前記供給室に隣接する供給路の一端と供給路の流動方向に直交する平面に平行な前記発泡室の端面との間の距離Ｌとするとともに、
第１の制御部の前記素子基板の主面に対する高さＴ1、以降下流側に隣接する下流側制御部に対する高さの差分Ｔ2，Ｔ3，Ｔn、前記Ｔが異なる各流路の幅Ｗ1，Ｗ2，Ｗ3，Ｗn、前記Ｔが異なる各流路の流動方向の距離Ｌ1，Ｌ2，Ｌ3，Ｌnとすれば、
｛Ｓ0×（ＯＨ−Ｔ1）｝＜（Ｌ1×Ｗ1×Ｔ1）＜・・・・・・・・＜｛Ｌn×（Ｗ1×Ｔ1＋・・・＋Ｗn×Ｔn）｝
ただし、Ｌ＝Ｌ1＋Ｌ2・・・＋Ｌn、かつＷ1＞Ｗ2＞・・・＞Ｗnを満たすように形成されている請求項１ないし１７のいずれか１項に記載の液体吐出ヘッド。
【請求項１９】
前記オリフィス形成部材には、前記ノズルの上流に向かう順に、前記発泡室内の液体の流れを制御するための第１および第２の制御部がそれぞれ設けられて、
前記吐出エネルギ発生素子と前記吐出口との間の最短距離ＯＨ、前記吐出口の開口面積Ｓ0、前記供給室に隣接する前記供給路の一端と前記供給路内のインクの流動方向に直交する平面に平行な前記発泡室の端面との間の距離Ｌとするとともに、前記第１の制御部の前記素子基板の主面に対する高さＴ1、前記高さＴ1に対する前記第２の制御部の高さの差分Ｔ2、前記Ｔが異なる各流路の幅Ｗ1，Ｗ2、前記Ｔが異なる各流路の流動方向の距離Ｌ1，Ｌ2とすれば、
｛Ｓ0×（ＯＨ−Ｔ1）｝＜（Ｌ1×Ｗ1×Ｔ1）＜｛Ｌ2×（Ｗ1×Ｔ1＋Ｗ2×Ｔ2）｝
ただし、Ｌ＝Ｌ1＋Ｌ2、かつＷ1＞Ｗ2を満たすように形成されている請求項１ないし１７のいずれか１項に記載の液体吐出ヘッド。
【請求項２０】
前記オリフィス形成部材には、前記発泡室に隣接する前記供給路の一端部に前記発泡室内の液体の流れを制御する第１の制御部が設けられるとともに、前記発泡室内の前記吐出口に連続する位置に前記発泡室内の液体の流れを制御する第２の制御部が設けられて前記吐出エネルギ発生素子と前記吐出口との間の最短距離ＯＨ、前記吐出口の開口面積Ｓ0、前記素子基板の主面に平行な前記第２の制御部の開口面積Ｓ1、前記供給室に隣接する前記供給路の一端と前記供給路内のインクの流動方向に直交する平面に平行な前記発泡室の端面との間の距離Ｌとするとともに、前記第１の制御部の前記素子基板の主面に対する高さＴ1、前記高さＴ1に対する前記第２の制御部の高さの差分Ｔ2、前記Ｔが異なる各流路の幅Ｗ1，Ｗ2、前記Ｔが異なる各流路の流動方向の距離Ｌ1，Ｌ2とすれば、
｛Ｓ0×（ＯＨ−Ｔ2）｝＜（Ｓ1×Ｔ2）＜（Ｌ1×Ｗ1×Ｔ1）＜（Ｌ2×Ｗ1×Ｔ1＋Ｗ2×Ｔ2）
ただし、Ｌ＝Ｌ1＋Ｌ2、かつＷ1＞Ｗ2を満たすように形成されている請求項１ないし１７のいずれか１項に記載の液体吐出ヘッド。
【請求項２１】
（Ｗ1×Ｔ1）＜Ｓ0＜（Ｗ1×Ｔ1＋Ｗ2×Ｔ2）
ただし、Ｗ1＞Ｗ2を満たすように形成されている請求項１９に記載の液体吐出ヘッド。
【請求項２２】
前記素子基板には、前記供給室に液体を供給するための供給口が設けられて、前記吐出エネルギ発生素子から前記吐出口までのイナータンスＡ1、前記吐出エネルギ発生素子から前記供給口までのイナータンスＡ2、前記ノズルおよび前記供給室からなる流路全体のイナータンスＡ0とすれば、
０．５＜（Ａ1／Ａ0）＝｛Ａ2／（Ａ1＋Ａ2）｝＜０．８
ただし、（１／Ａ0）＝｛（１／Ａ1）＋（１／Ａ2）｝を満たすように形成されている請求項１ないし１７のいずれか１項に記載の液体吐出ヘッド。
【請求項２３】
前記吐出エネルギ発生素子によって発生する気泡が、前記吐出口を介して外気に通気されている請求項１ないし２２のいずれか１項に記載の液体吐出ヘッド。
【請求項２４】
液滴を吐出させるためのエネルギを発生する複数の吐出エネルギ発生素子と、
前記複数の吐出エネルギ発生素子が設けられた素子基板と、
液滴を吐出する吐出口と、前記吐出エネルギ発生素子によって気泡が発生する発泡室と、前記発泡室に液体を供給するための供給路とを有する複数のノズルと、前記複数のノズルに液体を供給するための供給室とを有し、前記素子基板の主面に積層されたオリフィス形成部材とを備え、
前記オリフィス形成部材には、前記吐出エネルギ発生素子の前記供給路側近傍に位置して、前記素子基板の主面に対する前記ノズルの高さが前記ノズル内で最小となる部分を有し、前記ノズルの高さが前記供給室側に向かって変化されて、
前記素子基板の主面に対する前記発泡室の対向面の高さが、前記発泡室の対向面と前記吐出口との吐出方向の距離より小さくされている液体吐出ヘッド。
【請求項２５】
液滴を吐出させるためのエネルギを発生する複数の吐出エネルギ発生素子と、
前記複数の吐出エネルギ発生素子が設けられた素子基板と、
液滴を吐出する吐出口と、前記吐出エネルギ発生素子によって気泡が発生する発泡室と、前記発泡室に液体を供給するための供給路とを有する複数のノズルと、前記複数のノズルに液体を供給するための供給室とを有し、前記素子基板の主面に積層されたオリフィス形成部材とを備え、
前記オリフィス形成部材には、前記吐出エネルギ発生素子の前記供給路側近傍に位置して、前記素子基板の主面に対する前記ノズルの高さが前記ノズル内で最小となる部分を有し、前記ノズルの高さが前記供給室側に向かって変化されて、
前記素子基板の主面に対する前記発泡室の対向面の高さが、前記最小となる部分の高さより大きくされている液体吐出ヘッド。